(57)【特許請求の範囲】
【請求項１】
ヒンジ部を中心に旋回し、ドアが閉じられた際に当該ドア部における電磁シールド性を確保し得る電磁シールドドアであって、ドアの旋回軌跡に沿って転動する導電性ローラを当該ドアの下部に設けたことを特徴とする電磁シールドドア。
【請求項２】
前記導電性ローラを複数に分割して一列に設けたことを特徴とする請求項１記載の電磁シールドドア。
【請求項３】
前記導電性ローラを上下に弾性変形可能な弾性部材を介して前記ドアの下部に支持したことを特徴とする請求項１または２記載の電磁シールドドア。
【請求項４】
ドア本体の下面に溝部を形成し、下向きに開口した支持ボックスを前記溝部に遊嵌して該支持ボックスを前記弾性部材により支持すると共に、前記支持ボックス内に前記導電性ローラを設けたことを特徴とする請求項３記載の電磁シールドドア。
【請求項５】
前記導電性ローラと前記支持ボックスとの隙間を電磁的に遮蔽する手段を設けたことを特徴とする請求項４記載の電磁シールドドア。
【請求項６】
前記溝と支持ボックスとの間の隙間を電磁的に遮蔽する手段を設けたことを特徴とする請求項４または５記載の電磁シールドドア。
【請求項７】
前記導電性ローラを上下に二列設け、上側の列の導電性ローラを、下側の列の導電性ローラに接して転動するよう配置したことを特徴とする請求項１乃至６のうち何れか１項記載の電磁シールドドア。
【請求項８】
前記各導電性ローラがドアの旋回中心側で小径となり、外側で大径となる円錐台形状に形成されていることを特徴とする請求項２記載の電磁シールドドア。
【発明の詳細な説明】
【０００１】
【発明の属する技術分野】
本発明は、ヒンジ部を中心に旋回し、ドアが閉じられた際に当該ドア部における電磁シールド性を確保する機能を有する電磁シールドドアに関する。
【０００２】
【従来の技術】
近年、電磁シールド室等の実験室のみならず、オフィスビルの事務室や会議室においても、コンピュータ等から放出される電磁波による盗聴を防止し、また、ワイヤレスマイクやテレメータの混信を防止して割当周波数の有効利用を図る等の目的から、電磁シールド機能を有するドアへの必要性が高まっている。一般に、このような電磁シールド構造は、ドア開口枠の戸当り部分に導電性フィラーを配置することで、閉扉時にフィラーが鉄製など金属製ドア本体の周囲に密着することにより実現されている。
【０００３】
しかし、開口枠の底面に戸当りがなく単なる沓摺部によって区画された構造形式のドアの場合には、底面部分を完全に電磁シールド出来ない。このために従来は、ドアハンドルと連動するシールドシャッタをドア部の底部に取付け、ハンドルを操作してシールドシャッタを駆動することによりシールドシャッタを沓摺部に接触させる構造などが採用されている。
【０００４】
【発明が解決しようとする課題】
このようにシールドシャッタをハンドルにより駆動する構成では、電磁シールド機能は達成できるものの、ドアハンドルの操作が重くなり、使用感が悪いという問題があった。
【０００５】
本発明は、上記の課題を解決するものであって、その目的は、ドア下端部における電磁シールド機能を十分に確保した上で、ドアハンドルの操作やドア開閉時の操作を軽くできるようにした電磁シールドドアを提供するものである。
【０００６】
【課題を解決するための手段】
前記目的を達成するため、請求項１記載の発明は、ヒンジ部を中心に旋回し、ドアが閉じられた際に当該ドア部における電磁シールド性を確保し得る電磁シールドドアであって、ドアの旋回軌跡に沿って転動する導電性ローラを当該ドアの下部に設けたことを特徴とする。
本発明によれば、閉扉時には導電性ローラがドアの下部とドア枠または沓摺間の隙間に配置され、レバー操作等を必要とすることなく、ドア下部における電磁シールド効果が得られる。また、開扉時にはローラが転動しながらドアを開けることができるため、軽い操作感を得ることが出来る。
【０００７】
また、請求項２記載に記載された発明は、請求項１記載の電磁シールドドアにおいて、前記導電性ローラを複数に分割して一列に設けたことを特徴とする。
請求項２記載の発明によれば、導電性ローラを複数に分割することにより、ドア開閉時においてヒンジ部を中心とするドア各部の速度差に起因する各導電性ローラ内での回転速度差が小さくなり、ドアの開閉を円滑に行うことができる。
【０００８】
また請求項３に記載された発明は、請求項１または２記載の電磁シールドドアにおいて、前記導電性ローラを上下に弾性変形可能な弾性部材を介して前記ドアの下部に支持したことを特徴とする。
請求項３記載の発明によれば、閉扉時に導電性ローラが弾性部材によりドア枠または沓摺に対して押圧されるので電磁シールド性が向上する。また、床面の凹凸や沓摺部と床面の段差などに応じて導電性ローラが上下に弾性的に変位できるため、円滑な開閉操作が可能となる。
【０００９】
また、請求項４に記載された発明は、請求項３記載の電磁シールドドアにおいて、ドア本体の下面に溝部を形成し、下向きに開口した支持ボックスを前記溝部に遊嵌して該支持ボックスを前記弾性部材により支持すると共に、前記支持ボックス内に前記導電性ローラを設けたことを特徴とする。
請求項４記載の発明によれば、溝内に予め導電性ローラをアッセンブリした支持ボックスを配置するだけでこの部位の電磁シールド性を得ることが出来るため、加工が簡単である。
【００１０】
また、請求項５に記載された発明では、請求項４記載の電磁シールドドアにおいて、前記溝と前記支持ボックスとの間の隙間を電磁的に遮蔽する手段を設けたことにより、この部位における電磁波の遮蔽効果を更に向上させることができる。
【００１１】
また、請求項６に記載された発明では、請求項４または５記載の電磁シールドドアにおいて、前記溝と前記支持ボックスとの間の隙間を電磁的に遮蔽する手段を設けたことにより、この部位における電磁波の遮蔽効果を更に向上させることができる。
【００１２】
【課題を解決するための手段】
また、請求項７に記載された発明は、請求項１乃至６のうち何れか１項記載の電磁シールドドアにおいて、前記導電性ローラを上下に二列設け、上側の列の導電性ローラを、下側の列の導電性ローラに接して転動するよう配置したことを特徴とする。
請求項７記載の発明によれば、導電性ローラが上下に２列設けられることにより、支持ボックスと導電性ローラとの隙間に沿ったドア内外の距離が増大するので、隙間を伝わる電磁波に対する減衰効果を更に向上させることができる。
【００１３】
また、請求項８に記載された発明は、請求項２記載の電磁シールドドアにおいて、前記各導電性ローラがドアの旋回中心側で小径となり、外側で大径となる円錐台形状に形成されていることを特徴とする。
請求項８記載の発明によれば、各導電性ローラが、各導電性ローラ内での速度差に応じた形状となり、ドア開閉をより円滑に行うことが可能となる。
【００１４】
【発明の実施の形態】
以下、本発明の好ましい実施の形態につき、添付図面を参照して詳細に説明する。
【００１５】
図１〜図３は本発明に係る電磁シールドドアを示す。各図において、１はドア枠２の一側部に一対のドアヒンジ３を介して開閉可能な金属製のドア本体、４はドアノブ、５は閉扉時にドア本体１の底部に位置する沓摺部である。
【００１６】
ドア枠２のドア本体１に対する戸当り部６には、導電性フィラー（図１のハッチングで示す部分）が充填配置され、閉扉時において、導電性フィラーが下部を除くドア本体１の周囲三周に密着し、電磁シールドする。
【００１７】
また、ドア本体１の底部にはその長手方向に沿って断面凹形の溝７が形成され、この溝７の内部には底面開口した長方形の支持ボックス８が遊嵌されている。
支持ボックス８は、溝７との間に介在された複数のバネ９により溝７の内部に浮遊状態に吊下支持されている。支持ボックス８の内側中央には、その長手方向に沿って支軸１０が配置され、その両端は支持ボックス８の両側エンドプレート８ａに固定されている。図３に示されるように、支軸１０には複数の導電性ローラ１１が一列に軸支されている。各導電性ローラ１１は、導電性材料からなる円筒状部材であり、その中心が前記支軸１０に対して回転可能に軸受支持されている。
【００１８】
以上の構成によれば、閉扉時に各導電性ローラ１０が沓摺部５の上面に列をなして配置され、バネ９のバネ圧により沓摺部５に密着することにより、前記導電性フィラーと共同してドア本体１の周囲に対する電磁シールド性を確保する。なお、好ましくは、導電性ローラ１１の構成材料として、導電性ゴム等の弾性体を用いることにより、ローラ表面や沓摺部５に凹凸が存在した場合にも、導電性ローラ１１がその凹凸に応じて変形して密着状態を維持することができ、沓摺部５と接触する幅が大きくなって電磁シールド効果を向上させることができる。
【００１９】
また、開扉時には、ドア本体１の底部で沓摺部５および床面上を導電性ローラ１１が転動しながら開扉されることで、開閉操作時における軽い操作を可能としている。また、沓摺部５および床面との間に多少の段差を生じた場合であっても、バネ９の伸縮により、その段差に対応するとともに、床面における多少の凹凸などによっても開閉が妨げられることはない。
【００２０】
次に図４は前記第一実施形態における第一の変形例を示す。図４において、導電性ローラ１１の上部にはこれに接して転動する第二の導電性ローラ１２が支軸１３を介して配置されている。また、支持ボックス８の上部の両側角部と溝７の両側との間には導電性ベローズ１４で連結されている。
【００２１】
本例では、導電性ベローズ１４により、支持ボックス８と溝７との隙間が完全遮断されるとともに、ローラ１１が付加されることにより支持ボックス８内におけるローラとの間の隙間に沿ったドア内外間の距離が増大し、その結果、隙間を通過しようとする電磁波の減衰は更に大きくなって、電磁シールド効果の向上が図られる。
【００２２】
図５は、前記第一実施形態における第二の変形例を示すものである。図５において支持ボックス８の上部の両側角部と溝７の両側との間は、前記第１の変形例と同様に、導電性のベローズ１４で連結されているとともに、支持ボックス８の内側上部には導電性の布からなるシールドカーテン１５が垂下され、導電性ローラ１０の周面に摺接している。
【００２３】
このシールドカーテン１５はローラ１０の回転方向により、右または左に移動しつつ、ローラ１０に対する摺接状態を保つ。本例では、第一の変形例と同じく、導電性ベローズ１４による支持ボックス８と溝７との隙間を閉塞する効果に加え、シールドカーテン１５により支持ボックス８とローラ１０との隙間が遮断され、更なる電磁シールド効果の向上が図られている。
【００２４】
図６は、前記第一実施形態における第三の変形例を示すものである。図６において、隣合う導電性ローラ１１の間には導電性のフェルト１６が介在されている。この導電性フェルト１６は、前記支軸１０に各ローラ１１と交互に挿通されるものである。本例では、ドア本体の開閉時における旋回に伴う各ローラ１１の軸方向移動による隙間の発生を防止し、同じく電磁シールド効果の向上を図っている。
【００２５】
図７（ａ），（ｂ）は前記ベローズ１３に換わる遮蔽手段を示す。先ず（ａ）は導電性を有するガスケット１７を溝７の内側壁に固定し、膨出端部を支持ボックス８の側面に弾性的に当接したものである。また（ｂ）は導電性ゴムからなるローラ１８を支軸１９を介して溝７の内側壁に配置し、ローラ１８を支持ボックス８の側面に転動可能に接触させたものである。いずれの例においても、前記ベローズ１３と同様な電磁シールド効果を得るほか、組立が簡単である。なお、図７では上記図１乃至図３に示す基本形状にガスケット１７またはローラ１８を付加した構成を示しているが、上記各変形例に第一〜第三の変形例にガスケット１７またはローラ１８を付加する構成としてもよい。
【００２６】
図８および図９は第二実施形態を示す。図８および図９において、各導電性ローラ２０は円錐台形状をなしている。この導電性ローラ２０は、ヒンジ３を基点とするドア本体１の内外の速度差に応じてヒンジ３側を径小とし、外側を径大とすることで転動時における回転の均一化を図っている。これにより、ドアの開閉をより円滑に行うことが可能となる。
【００２７】
なお、本実施形態においては、各ローラ２０はその周面を床または沓摺部５に接触させた状態で転動するため、その中心軸（図中一点差線で示す）は床または沓摺部５に対し斜めとなる。したがって、支持ボックス８の内側に各ローラ２０毎に仕切り壁などを設け、この仕切り壁にそれぞれの中心軸を軸止することで、これらの支持構造を具現化できる。
【００２８】
ところで、上記第１実施形態の各変形例では、シールドカーテン等により、ローラとドアとの間の隙間を遮断する構成としたが、そのような隙間遮断手段を設けない場合について、電磁シールド部において生ずる隙間が電磁シールド性へ与える影響について検討する。
【００２９】
一般に、電磁波は、空間では電界と磁界が直交して伝播するが、電界成分が垂直方向となる偏波の電磁波が、ドア沓摺部の水平方向の隙間に入射すると、隙間の長さを１／２波長とする周波数で共振し、この周波数の電磁波に対する遮蔽性能が低下する。そこで、ドア下部に取付ける導電性ローラの分割数を多くし、支持間隔を狭めて、図３、図８に破線で示すように仕切りを入れ、遮断しようとする電磁波の波長の１／２よりも十分に小さくなるようにすれば、上記実施形態のシールドカーテンのように、全面を遮蔽しなくとも、目的とする周波数帯域で良好な電磁シールド性能を得ることが可能である。
【００３０】
以上の前提に基づき、ローラに代えて直方体のブロックを用いてモデル実験を行った。このモデル実験では、ブロックとドア下部のボックスとの隙間を３mm、ブロックの幅（ローラの直径に相当）を２５mm、ブロックの長さ（ローラの長さに相当）を３０mmとして、その減衰効果を確認したところ、３０００ＭＨｚまで３０ｄＢ程度の性能が得られることを確認した。
【００３１】
同様にして遮蔽周波数帯域を１０００ＭＨｚとすると波長は３０cmであるから、ローラの幅１５cm以下にすればよく、また遮蔽周波数帯域を３０００ＭＨｚとすると波長は１０cmであるから、ローラの幅を５cm以下にすれば良いことになり、以下目的とする遮蔽周波数帯域に応じてローラの幅を設定すれば良い。
【００３２】
【発明の効果】
以上の説明により明らかなように、本発明による電磁シールドドアによれば、ドア下端部における電磁シールド機能を十分に確保した上で、ドアハンドルの操作やドア開閉時の操作を軽くできる。
【図面の簡単な説明】
【図１】本発明の第一実施形態による電磁シールドドアの全体構造を示す斜視図である。
【図２】図１のＡ部を拡大して示す部分断面図である。
【図３】図２のＢ−Ｂ線における横断面図である。
【図４】第一実施形態における第一の変形例を示す部分拡大断面図である。
【図５】同第二の変形例を示す部分拡大断面図である。
【図６】同第三の変形例を示す説明図である。
【図７】（ａ），（ｂ）は溝と支持ボックス間の隙間を遮蔽するための他の遮蔽手段を示す部分断面図である。
【図８】本発明の第二実施形態による電磁シールドドアの要部を示す側断面図である。
【図９】同開閉状態を示す平断面図である。
【符号の説明】
１  ドア本体
２  ドア枠
３  ヒンジ
７  溝
８  支持ボックス
９  バネ
１０  支軸
１１，２０  導電性ローラ
１２  第二の導電性ローラ
１４，１７，１８
１５  シールドカーテン
【図１】
0004569038.tif 000002
【図２】
0004569038.tif 000003
【図３】
0004569038.tif 000004
【図４】
0004569038.tif 000005
【図５】
0004569038.tif 000006
【図６】
0004569038.tif 000007
【図７】
0004569038.tif 000008
【図８】
0004569038.tif 000009
【図９】
0004569038.tif 000010